(57)【要約】  【課題】  水槽底面に溜まる沈殿物を排除するために所定箇所まで移動させるための沈殿物排除装置及び、これを用いた水産物養殖装置を提供すること。  【解決手段】  沈殿物排除装置１０は、水槽内の溝１５内部を走行可能な本体部２１と、下端辺が溝底面に当接するまで回動するように本体部の前端に枢着されたスクレーパー２２と、スクレーパーに掛合されたロープ２３，２４と、本体部を前後いずれかの方向に走行させるべくロープを引張るウインチ２５，２６とを備える。スクレーパーは、本体部を前方向に走行させるべくロープを介してウインチで引張ったときに下端辺が溝底面１５ａに当接し、沈殿物を掻き集めながら溝１５の所定箇所まで移動させ、逆に、本体部を後方向に走行させるべくロープを引張ったときには下端辺と溝底面との間に隙間２７ができるように、本体部に枢着されたものである。【選択図】  図５
2007244292.tif 000002
【特許請求の範囲】
【請求項１】
水槽底面に形成された溝に溜まった沈殿物を排除するために所定箇所まで移動させる装置であって、前記溝の内部を走行可能なように走行輪が設けられた本体部と、下端辺が前記溝の底面に当接するまで回動するように前記本体部の前端に枢着された板状部材と、前記板状部材に掛合された索状体と、前記本体部を前後いずれかの方向に走行させるべく前記索状体を引張る牽引手段とを備え、
前記板状部材は、本体部を前方向に走行させるべく牽引手段で引張ったときに下端辺が前記溝の底面に当接し、沈殿物を掻き集めながら溝の所定箇所まで移動させ、逆に、本体部を後方向に走行させるべく索状体を引張ったときには下端辺と前記溝の底面との間に隙間ができるように、前記本体部に枢着されたことを特徴とする水槽内の沈殿物排除装置。
【請求項２】
稚魚や稚エビ等の水産物を養殖するための水槽内の底面にほぼ直線状に延長する溝が設けられ、該溝には沈殿物を排除するため所定箇所まで移動させる沈殿物排除手段が設けられた水産物の養殖装置において、
前記沈殿物排除手段は、前記溝の内部を走行可能なように走行輪が設けられた本体部と、前記本体部の前端に枢着され下端辺が前記溝の底面に当接するまで回動可能に設けられた板状部材と、前記板状部材に掛合されて前記溝両端を介して水槽外まで延設された索状体と、前記索状体を正逆いずれかの方向に引張るため水槽外に設けられた牽引手段とを備えることを特徴とする水産物養殖装置。
【発明の詳細な説明】
【技術分野】
【０００１】
本発明は、水槽底面の溝に溜まった沈殿物を排除するために所定箇所まで移動させる沈殿物排除装置、及び水槽内で稚魚や稚エビ等の水産物を養殖するための養殖装置に関する。
【背景技術】
【０００２】
稚魚や稚エビ等の水産物を養殖する方法としては海上養殖と陸上養殖があり、何れの養殖方法においても、高密度で養殖が行なわれることが多く、水槽底面には水産物の排泄物、脱皮殻、死骸、餌の食べ残し等の沈殿物が溜まり易いという課題がある。
この課題に対する提案として、特許文献１には、沈殿物を所定箇所まで搬送するための水中ベルトコンベアを水槽底面に設け、水槽底面に水中ベルトコンベアに向かう勾配が設けられた水産物養殖装置が記載されている。また特許文献１の水産物養殖装置では、高密度養殖ゆえの水産物のストレスを解消させるために、下端が水槽底面に達するように複数の人工海藻が吊るされ、造波装置により水槽内に波が発生され、酸素供給装置により水槽内の水に酸素が供給されている。
【特許文献１】特開２００３−２３９１４号公報
【発明の開示】
【発明が解決しようとする課題】
【０００３】
特許文献１の水産物養殖装置に関しては、これを実施するに際し、特に問題があるものではない。
しかしながら、本発明の目的は、水槽底面に溜まる沈殿物を排除するために所定箇所まで移動させるための手段として、特許文献１とは異なる沈殿物排除装置を提供すると共に、この沈殿物排除装置を備える水産物養殖装置を提供することである。
【課題を解決するための手段】
【０００４】
本発明では、水槽底面に形成された溝に溜まった沈殿物を排除するために所定箇所まで移動させる装置であって、前記溝の内部を走行可能なように走行輪が設けられた本体部と、下端辺が前記溝の底面に当接するまで回動するように前記本体部の前端に枢着された板状部材と、前記板状部材に掛合された索状体と、前記本体部を前後いずれかの方向に走行させるべく前記索状体を引張る牽引手段とを備え、前記板状部材は、本体部を前方向に走行させるべく牽引手段で引張ったときに下端辺が前記溝の底面に当接し、沈殿物を掻き集めながら溝の所定箇所まで移動させ、逆に、本体部を後方向に走行させるべく索状体を引張ったときには下端辺と前記溝の底面との間に隙間ができるように、前記本体部に枢着されたものである水槽内沈殿物排除装置が提供される。
【０００５】
また本発明では、稚魚や稚エビ等の水産物を養殖するための水槽内の底面にほぼ直線状に延長する溝が設けられ、該溝には沈殿物を排除するため所定箇所まで移動させる沈殿物排除手段が設けられた水産物の養殖装置において、前記沈殿物排除手段は、前記溝の内部を走行可能なように走行輪が設けられた本体部と、前記本体部の前端に枢着され下端辺が前記溝の底面に当接するまで回動可能に設けられた板状部材と、前記板状部材に掛合されて前記溝両端を介して水槽外まで延設された索状体と、前記索状体を正逆いずれかの方向に引張るため水槽外に設けられた牽引手段とを備えることを特徴とする水産物養殖装置が提供される。
【発明の効果】
【０００６】
本発明の水槽内沈殿物排除装置では、本体部を前方向に走行させるべく、索状体を介して板状部材を牽引手段で引張ると、板状部材の下端辺は溝の底面に当接し、沈殿物を掻き集めながら溝の所定箇所まで移動させることが可能になる。逆に、本体部を後方向に走行させるべく索状体を介して板状部材を牽引手段で引張ると、板状部材の下端辺と溝の底面との間には隙間ができるため、本体部を後方向に走行させた場合にも、板状部材の下端辺が沈殿物を逆方向に押し戻すことは防止される。
したがって、本体部を前後方向に往復走行させることにより、水槽底面の溝に溜まった沈殿物を所定箇所まで効率的に集めることが可能になり、例えば、ベルトコンベア等の搬送装置と比較すると、水槽内沈殿物排除装置自体のメンテナンスの手間が格段に簡易にできて、必要なときのみ稼動させればよいため省エネルギー効果も得られる。また水槽内沈殿物排除装置は簡略な構造であるため故障し難いという利点もある。
【０００７】
本発明の水産物養殖装置では、沈殿物排除手段により沈殿物が効率的に集められて排出されることで、水の劣化が抑えられ、水産物の病気の発生が抑制される。また一日に複数回実施する給餌のうち、所定回の給餌の直前に沈殿物排除手段で沈殿物を集められば、水産物が食べ残した餌の量を把握することが可能になり、したがって、適正な給餌量を割り出すことが可能になる。
【発明を実施するための最良の形態】
【０００８】
以下、図面を参照して本発明の実施形態について説明するが、本発明はこれに限定されるものではない。
【０００９】
図１は本発明にかかる水産物の養殖設備１０の平面図である。
養殖設備１０は、稚エビから親エビまでの飼育を淡水または人工海水中で行うためのものであり、養殖水槽１１と造波装置１２と水浄化ユニット１３とを含み、図示しないビニールハウス等の構造物の内部に設けられる。
図２は図１の養殖設備１０をＡ−Ａ線に沿って切断した断面図、図３はＢ−Ｂ線に沿って切断した断面図、図４はＣ−Ｃ線に沿って切断した断面図である。
図１〜図４において、養殖水槽１１は平面形状が１２４０×４０００ｃｍ程度の長方形に形成され、両側辺には縁石１４ａが設けられ、前後端辺には前壁１４ｂと後壁１４ｃとが設けられている。養殖水槽１１には、中央の水深２７０ｃｍ程度の位置に、溝１５が長辺方向に延長するように設けられ、この溝１５に沈殿物排除装置２０（図５参照）が設置される。この沈殿物排除装置２０により、沈殿物は、溝１５における前壁１４ｂ付近すなわち溝前端１５ｂまで運ばれる。水槽底面１１ａ，１１ｂは、溝１５に向けて矢印Ｓ１，Ｓ２方向に傾斜するように形成されると共に、水槽底面１１ａ，１１ｂは、整地された地表面にコンクリートリブ１６が配置され、コンクリートリブ１６間の地表面上に発泡スチロール等の断熱材が敷設され、この断熱材の上に防水シート１７が敷設されて構築される。
【００１０】
前記造波装置１２は造波水槽１２ａと造波水の受け面１２ｂとを含むものであり、水浄化ユニット１３は集水槽１３ａ、バイオ浄化槽１３ｂ、分配槽１３ｃ及び沈殿槽１３ｄとを含むものである。これら造波装置１２及び水浄化ユニット１３は、特許文献１に記載された慣用の手段により構成されるので、詳細な記載は省略し、簡略に説明する。
造波装置１２は、造波水槽１２ａの水面と養殖水槽１１の水面との水頭差により波を発生させるものであり、造波水槽１２ａに所定の水量が貯まったら、ここから受け面１２ｂに水を放流し、養殖水槽１１に流下させることにより、養殖水槽１１中に波を発生させるものである。
水浄化ユニット１３において、集水槽１３ａは槽内の汚染水に含まれる菌類を殺菌するものである。バイオ浄化槽１３ｂは、バイオフィルターと称する薄い板材が設けられ、分配槽１３ｃから流入する汚染水をバイオフィルターに沿って通過させることにより、残留する菌類や塵を微生物により分解して水を浄化するものである。沈殿槽１３ｄは、養殖水槽１１から排除された沈殿物を、水と汚泥とに分離させるためのものである。
集水槽１３ａと養殖水槽１１との間には、養殖水槽１１内の沈殿物を取り除くためのフィルター等の手段が設けられる。溝前端１５ｂに移動された沈殿物は、さらに、このフィルター等の手段まで慣用の水中ポンプやエアリフトにより運ばれて水上に引き揚げられ、沈殿槽１３ｄに導かれる。
なお、図示はしないが、養殖水槽１１には、複数の人工海藻を所定間隔で吊るし、各下端を水槽底面１１ａ，１１ｂに接触させる一方で、沈殿物排除装置２０には接触させないように配置される。人工海藻は、特許文献１に記載されたような慣用の人工海藻を使用し、これを慣用の手段により養殖水槽１１内で懸吊するものである。
【００１１】
次に、図５及び図６を参照して沈殿物排除装置２０について説明する。
沈殿物排除装置２０は、本体部２１と、スクレーパー２２（板状部材）と、ロープ２３，２４（索状体）と、ウインチ２５，２６（牽引手段）とを主要な構成として備えるものである。
【００１２】
本体部２１は両側部に比較的低く立ち上げられた側壁２１ａが形成され、各側壁２１ａの外面の２箇所には車輪２１ｂが取り付けられ、底面２１ｃにも、４箇所に車輪２１ｄが取り付けられている。底面２１ｃの車輪２１ｄは、溝１５の底面１５ａを走行するためのものであり、側壁２１ａの車輪２１ｂは、本体部２１やスクレーパー２２が溝１５の側面１５ｂへ接触しないようにガイドするためのものである。また本体部２１の前端付近にはブラケット２１ｅが立設され、ブラケット２１ｅにはストッパー２１ｆが設けられ、ストッパー２１ｆはスクレーパー２２の後方への回動範囲を図５（ｂ）に図示した角度に規定するものである。
【００１３】
スクレーパー２２は背面にフランジ２２ａが突設され、このフランジ２２ａが、本体部２１のブラケット２１ｅにボルトやナット等で枢着される。スクレーパー２２は下端辺２２ｂが曲げられており、この下端辺２２ｂが溝１５の底面１５ａに接触して沈殿物を掻き取る。またスクレーパー２２の上端には上端壁２２ｃが形成され、両側部には側壁２２ｄが形成され、これら上端壁２２ｃと側壁２２ｄとで囲まれた部分が沈殿物の収容部２２ｅとして機能し、掻き取られた沈殿物が収容部２２ｅに溜められて所定箇所まで運ばれる。スクレーパー２２には、前面の上端付近からブラケット２１ｅに延びる取手２２ｆが設けられ、図５（ｂ）に示したように、この取手２２ｆの２箇所にロープ２３，２４が掛合されている。
【００１４】
ロープ２３，２４はスクレーパー２２の取手２２ｆから、図２の一点鎖線で示したように、溝１５に沿ってそれぞれ前後両方向に延長し、養殖水槽１１の前壁１４ｂと後壁１４ｃに設けられたプーリー１８を介して養殖水槽１１の外部に達し、さらに他のプーリー１８を介してウインチ２５，２６まで延びている。これらウインチ２５，２６は、いずれか一方がロープ２３，２４を巻き込んでいるとき、他方がロープ２３，２４を巻き出し可能なように構成されている。したがって、ロープ２３，２４の一方を介して、それぞれウインチ２５，２６で牽引することにより、本体部２１及びスクレーパー２２は、溝１５内におけるＰ１方向あるいはＰ２方向に走行可能なように構成されている。
【００１５】
図６において、スクレーパー２２はロープ２３により矢印Ｐ１方向に牽引されており、この牽引力によりスクレーパー２２は回動し、その下端辺２２ｂが溝１５の底面１５ａに当接する。この当接状態で本体部２１を矢印Ｐ１方向に牽引すると、スクレーパー２２の下端辺２２ｂが溝１５内の沈殿物を掻き取りながら、沈殿物を収容部２２ｅに溜めて所定箇所まで押し運ぶことができる。
逆に、図５（ｂ）においては、スクレーパー２２はロープ２４により矢印Ｐ２方向に牽引されており、ブラケット２１ｅがストッパー２１ｆに当接した状態で回動停止している。このとき、下端辺２２ｂと溝１５の底面１５ａとの間には隙間２７ができているため、本体部２１を牽引して矢印Ｐ２方向に走行させた場合にも、スクレーパー２２の下端辺２２ｂが、沈殿物を矢印Ｐ２方向に押し戻すことは防止される。
【００１６】
次に、水産物養殖場１０の作用について説明する。
水産物養殖場１０では、例えば、造波装置１２等により養殖水槽内に波を発生させると、人工海藻が揺動し、この人工海藻の下端が養殖水槽の底面に接触しているため、養殖水槽底面に沈んだ水産物の排泄物、抜け殻、死骸、餌の食べ残し等の沈降物は人工海藻に動かされて、底面の勾配に導かれて溝１５に達する。このように溝１５に導かれた沈降物は、沈殿物排除装置２０により、前壁１４ｂ付近すなわち溝前端１５ｂまで運ばれる。この溝前端１５ｂにおいて、沈降物は慣用の水中ポンプやエアリフト等により引き上げられ、フィルター等の手段で固形物を除去した後に、水浄化ユニット１３において処理される。
本発明の水産物の養殖設備１０では、沈殿物排除装置２０により沈殿物が効率的に集められて排出されることで、水の劣化が抑えられ、水産物の病気の発生が抑制される。
なお、本発明において、養殖水槽１１内で沈降物が溝１５まで導びかれる手段に関しては、上記の造波装置１２や人工海藻等の態様に限定されるものではない。
【図面の簡単な説明】
【００１７】
【図１】本発明にかかる水産物養殖装置の平面図である。
【図２】図１の水産物養殖装置をＡ−Ａ線に沿って切断した断面図である。
【図３】図１の水産物養殖装置をＢ−Ｂ線に沿って切断した断面図である。
【図４】図１の水産物養殖装置をＣ−Ｃ線に沿って切断した断面図である。
【図５】（ａ）は沈殿物排除装置の上面図、（ｂ）は側面図、（ｃ）は一部破断して示した後面図である。
【図６】図５の沈殿物排除装置の側面図である。
【符号の説明】
【００１８】
１０  養殖設備（水産物養殖装置）
１１  養殖水槽
１１ａ  水槽底面
１１ｂ  水槽底面
１５  溝
２０  沈殿物排除装置
２１  本体部
２２  スクレーパー（板状部材）
２３  ロープ（索状体）
２４  ロープ（索状体）
２５  ウインチ（牽引手段）
２６  ウインチ（牽引手段）
【図１】
2007244292.tif 000003
【図２】
2007244292.tif 000004
【図３】
2007244292.tif 000005
【図４】
2007244292.tif 000006
【図５】
2007244292.tif 000007
【図６】
2007244292.tif 000008